(57)【要約】【課題】遊技場等において、携帯をかざすことにより遊技を行うことができなかった。【解決手段】本発明のカード発行装置は、カード８の排出或いはカード８が挿入される挿入口１２と、この挿入口１２に連結された通路１３とを備え、通路１３の壁面にアンテナ１５を設けるとともに、挿入口１２の近傍にもアンテナ１６を設け、これらのアンテナ１５，１６の信号を入出力端子２１に導くものである。これにより、所期の目的を達成することができる。【選択図】図１
2007135732.tif 000002
【特許請求の範囲】
【請求項１】
カードの排出或いはカードが挿入される挿入口と、この挿入口に連結された通路とを備え、前記挿入口の近傍と前記通路の壁面に近接するとともに前記カードを含む情報通信媒体と通信可能なリードライト部と、このリードライト部と信号のやり取りを行う入出力端子とが設けられたカード発行装置。
【請求項２】
カードには第１、第２の非接触ＩＣカードを用い、前記通路の壁面に前記第１の非接触ＩＣカードと通信する第１のアンテナを設けるとともに、前記挿入口の近傍には情報通信媒体または、前記第２の非接触ＩＣカードと通信する第２のアンテナが設けられた請求項１に記載のカード発行装置。
【請求項３】
第１のアンテナと入出力端子間の通信と、第２のアンテナと前記入出力端子間の通信とは選択的に通信する請求項２に記載のカード発行装置。
【請求項４】
第２のアンテナは、挿入口を囲むように配置された請求項２に記載のカード発行装置。
【請求項５】
第２のアンテナには、情報通信媒体の装着をガイドするガイド部が設けられた請求項２に記載のカード発行装置。
【請求項６】
第２のアンテナは、上下方向に傾斜した請求項２に記載のカード発行装置。
【請求項７】
第２のアンテナは、左右方向に傾斜した請求項２に記載のカード発行装置。
【請求項８】
第２のアンテナは、挿入口から離して設けられた請求項４に記載のカード発行装置。
【請求項９】
第１のアンテナと第２のアンテナとの間は磁気遮蔽された請求項２に記載のカード発行装置。
【請求項１０】
挿入口の前面には着脱可能なカバーが設けられた請求項１に記載のカード発行装置。
【請求項１１】
カバーは半透明部材で形成されるとともに、前記カバーの内部に光源が配置された請求項１０に記載のカード発行装置。
【請求項１２】
紙幣識別装置と、主制御装置と、請求項２に記載のカード発行装置と、これらの装置に電源を供給する電源装置とが上方からこの順に配置されて筐体内に収納された台間機。
【発明の詳細な説明】
【技術分野】
【０００１】
本発明は、遊技場等で用いられるカード発行装置とこれを用いた台間機に関するものである。
【背景技術】
【０００２】
従来のカード発行装置とこれを用いた台間機は、図９に示す構成となっていた。即ち、図９に示すように、従来の台間機１は、紙幣識別装置２と、主制御装置３と、カード発行装置４と、これらの装置に電源を供給する電源装置５とが上方からこの順に配置されて筐体６内に収納されていた。
【０００３】
７は、紙幣識別装置２の挿入口２ａへ挿入される紙幣であり、８はカード発行装置４の挿入口４ａへ挿入される非接触ＩＣカード（以下カードという）である。挿入口４ａは通路４ｂに連結しており、この通路４ｂの壁面にはカード８と通信するアンテナ４ｃが設けられている。また、通路４ｂの奥部にはカード８が収納されるカード収納部４ｄが設けられている。
【０００４】
以上のように構成された台間機１は、パチンコ店等の遊技場に設けられており、遊技者は、パチンコ等の遊技をするに際して、紙幣７を紙幣識別装置２の挿入口２ａに挿入する。そうすると紙幣識別装置２は挿入された紙幣７を識別して、入力された紙幣７の金額情報データを主制御装置３に通知する。主制御装置３では、その金額情報に相当する遊技用度数データをカード８に格納して発行するようにカード発行装置４に指令する。
【０００５】
カード発行装置４では主制御装置３からの指令を受けて、カード収納部４ｄ内に収納されている未使用のカード８ａを通路４ｂに導き、この通路４ｂの壁面に設けられたアンテナ４ｃを用いてカード８ａに金額情報に相当する遊技用度数データを書き込む。このようにして、金額情報に相当する遊技用度数データが書き込まれたカード８を得る。次に、書き込まれた金額情報に相当する遊技用度数データは、再びアンテナ４ｃで読み出され、主制御装置３に通知される。そこで、遊技者はその金額情報に相当する遊技用度数データ内で遊技を楽しむことができる訳である。
【０００６】
遊技の進行に応じて主制御装置３からの指令を受けて、カード発行装置４ではカード８内の金額情報に相当する遊技用度数データを減算する。そして、カード８内の金額情報に相当する遊技用度数データが零になると遊技者は遊技を終了させられる。また、このとき改めて紙幣７を紙幣識別装置２の挿入口２ａに挿入すれば遊技を続行することができる。
【０００７】
また、遊技者が遊技を途中で終了したい場合には、ボタン等でその旨を主制御装置３に入力する。そうすると、主制御装置３はカード８の排出をカード発行装置４に対してカード８の排出を指令する。カード発行装置４はその旨を受けて、カード８を挿入口４ａから排出する。
【０００８】
遊技者はこの排出されたカード８を用いて、再び遊技をすることもできる。即ち、遊技者は金額情報に相当する遊技用度数データが書き込まれたカード８をカード発行装置４の挿入口４ａに挿入する。そうすると、そのカード８に書き込まれた金額情報に相当する遊技用度数データはアンテナ４ｃで読み取られ、主制御装置３に通知される。主制御装置３では、カード８に書き込まれた金額情報に相当する遊技用度数データの範囲内において遊技を許可することになる。
【０００９】
このように、従来の台間機１においては紙幣７か或いは金額情報に相当する遊技用度数データが書き込まれたカード８を用いて遊技を楽しむことができた。
【００１０】
なお、この出願の発明に関連する先行技術文献情報としては、例えば、特許文献１が知られている。
【特許文献１】特開２００１−３４８１５号公報
【発明の開示】
【発明が解決しようとする課題】
【００１１】
しかしながらこのような従来の台間機１では、紙幣７或いはカード８でないと遊技を楽しむことができなかった。即ち、近年のユビキタス社会で用いられている携帯（この携帯は、情報通信媒体としての非接触ＩＣカードがインターネット接続可能な携帯電話機に内蔵された携帯電話機を意味するものとする。以下、携帯という）を用いて遊技をすることはできず不便であった。
【００１２】
この点を今少し説明すると、従来の台間機１に用いられるカード発行装置４では、カード８と通信するアンテナ４ｃを有しているのみであり、携帯との通信はできないものであった。
【００１３】
本発明は、携帯を用いても遊技をすることができるカード発行装置とこれを用いた台間機を提供することを目的としたものである。
【課題を解決するための手段】
【００１４】
そしてこの目的を達成するために本発明のカード発行装置は、挿入口の近傍と通路の壁面に近接するとともにカードを含む情報通信媒体と通信可能なリードライト部と、このリードライト部と信号のやり取りを行う入出力端子とを設けたものである。これにより所期の目的を達成することができる。
【発明の効果】
【００１５】
以上のように本発明は、挿入口の近傍と通路の壁面に近接するとともにカードを含む情報通信媒体と通信可能なリードライト部と、このリードライト部と信号のやり取りを行う入出力端子とを設けたものであり、挿入口の近傍に情報通信媒体と通信可能なリードライト部が設けられているので、挿入口の近傍に情報通信媒体（携帯）をかざすことにより、情報通信媒体と通信をすることができる。従って、このカード発行装置を遊技機に用いれば、たとえ紙幣の持ち合わせが無くとも携帯を挿入口の近傍にかざすことにより遊技を楽しむことができる。
【発明を実施するための最良の形態】
【００１６】
（実施の形態１）
以下、本発明の実施の形態を図面に基づいて説明する。図１は、発明の実施の形態１におけるカード発行装置１１の構成図である。図１において、１２は非接触ＩＣカード（以下、カードという）８の排出或いはカード８が挿入される挿入口である。そして、この挿入口１２に連結してカード８の通路１３が設けられており、この通路１３の奥部にはカード収納部１４が設けられている。
【００１７】
１５は、通路１３の壁面に設けられたアンテナ（リードライト部の一例として用いた）であり、１６は、挿入口１２の近傍に設けられたアンテナ（リードライト部の一例として用いた）である。そして、このアンテナ１６の前面（通路１３の反対側）には、半透明部材１７が設けられている。
【００１８】
このようにリードライト部としてアンテナ１５，１６を用いているので、非接触で通信を行うことができる。従って、通路１３の汚れ等による接触不良を防止することができる。なお、このアンテナ１５，１６は１３．５６ＭＨｚの電磁波を用いてカード８或いは携帯との通信を行っている。ここで、アンテナ１５とアンテナ１６とは、略直角の関係に配置されている。
【００１９】
また、半透明部材１７の前面には、携帯（情報通信媒体として用いられたものであり、非接触ＩＣカードがインターネット接続可能な携帯電話機に内蔵された携帯電話機）をかざすためのガイド部を形成する発光ダイオード２３が埋設されている。また、この半透明部材１７は差し替え可能に装着されている。従って、この半透明部材１７に操作指示等を彫りこむことができる。この場合発光ダイオード２３と協働して操作表示イルミネーションとすることができる。また、この半透明部材１７は差し替え可能に設けられているので、仕向け先別のデザインとすることができる。
【００２０】
１８は切替部であり、アンテナ１５とアンテナ１６とに接続されている。また、切替部１８からは復調器１９を介して制御部２０に接続されており、この制御部２０は入出力端子２１に接続されている。また、制御部２０は変調器２２を介して切替部１８に接続されている。また、制御部２０は直接切替部１８にも接続されている。従って、復調器１９と変調器２２は、アンテナ１５とアンテナ１６とで共用化して用いることができ、小型・低価格化を図ることができる。
【００２１】
ここで、本実施の形態における通信方式は、ＡＳＫ１０％の変調方式でマンチェスタ符号を用い、２１２ｋｂｐｓの通信速度に合致した復調器１９、制御部２０、変調器２２を用いている。しかしこれは、この通信方式に限ることは無く、夫々異なる通信方式のものを用いることもできる。また、夫々の通信方式に合致したハードウエアを用意しておき、その通信方式を検出しハードウエアを切り替えるようにしても良い。
【００２２】
２４は、アンテナ１５とアンテナ１６との間に設けられた磁気遮蔽部材であり、アンテナ１５とアンテナ１６とを高周波的に分離するものである。この磁気遮蔽部材２４の作用で、アンテナ１５とアンテナ１６との間で互いに干渉しあうことはない。また、本実施の形態では、電磁波を用いて通信を行っているので、磁気遮蔽部材２４として、導電性のもの（例えば、冷間圧延鋼板、表面処理鋼板等）を用いれば、カード８に帯電した静電気を除去することができる。なお、これらの構成要素は筐体２５内に収納されている。
【００２３】
図２は、カード発行装置１１の外観斜視図である。筐体２５の幅寸法２６は３５ｍｍであり、奥行き寸法２７は１８５ｍｍであり、高さ寸法２８は１０５ｍｍである。
【００２４】
この筐体２５の前面２５ａには挿入部３０が設けられており、この挿入部３０の中心にはカード８が排出或いは挿入される挿入口１２が設けられている。そして、この挿入口１２を囲むように、アンテナ１６が半透明部材１７の裏面（奥）に埋設されている。挿入口１２の長さ寸法２９は７０ｍｍとしている。
【００２５】
２３は、挿入部３０の前面の４隅に設けられた発光ダイオードであり、携帯の載置をガイドするガイド部を形成している。従って、携帯のセットが容易であるばかりでなく、定位置に固定されるので、信頼性の高い通信が可能となる。また、発光ダイオード２３を用いているので、たとえ暗い場所でも容易に使用することができる。
【００２６】
図３は、カード発行装置１１を遊技者側から見た右側面図である。筐体２５の前面２５ａには挿入部３０が設けられており、この挿入部３０は上から下に向っての角度３１が２０〜３０度に設けられている。これは、挿入口１２が遊技者の肩より下に位置することに伴い、カード８を挿入し易くするための配慮である。また携帯をかざし易くするとともに、かざした時に携帯がアンテナ１６面と略平行になる事によって、アンテナ１６との電磁的結合が大きくなり、通信エラーが少ない通信が可能となる。
【００２７】
図４は、カード発行装置１１を上方から見た平面図である。筐体２５の前面２５ａには挿入部３０が設けられており、この挿入部３０は右から左に向っての角度３２が１０〜１５度に設けられている。これは、挿入口１２が遊技者の左側に位置することに伴い、カード８を挿入し易くするための配慮である。また携帯をかざし易くするとともに、かざした時に携帯がアンテナ１６面と略平行になる事によって、アンテナ１６との電磁的結合が大きくなり、通信エラーが少ない通信が可能となる。
【００２８】
図５は、カード発行装置１１を上から見た上面透視図である。図５において、カード発行装置１１は、筐体２５の前面２５ａに挿入部３０が設けられており、この挿入部３０の中心にカード８の挿入口１２が設けられている。そして、この挿入口１２を囲むようにアンテナ１６が設けられており、この挿入口１２には通路１３が連結している。そして、この通路１３の奥部には金額情報に相当する遊技用度数データ未記入の新カード８ａが収納されるカード収納部１４が設けられている。
【００２９】
３５は、搬送手段であり、プーリ３５ａ，３５ｂと、このプーリ３５ａ，３５ｂに懸架されたタイミングベルト３５ｃと、前記プーリ３５ａ，３５ｂに対向して設けられたローラ３５ｄ，３５ｅとで構成されている。また、通路１３の壁面にはアンテナ１５が装着されている。
【００３０】
次に、カード収納部１４について説明する。カード収納部１４は、通路１３の奥部に連結して設けられた一時保留部３６があり、カード８，８ａが一時保留される場所である。また、この一時保留部３６の下方にカード収納手段３７が設けられている。そして、このカード収納手段３７に嵌合するようにカード収納箱３８が設けられている。筐体２５には、このカード収納箱３８が挿入される取り付け枠３９が設けられている。
【００３１】
カード収納箱３８は、底面に装着された押圧手段としてのばね３８ａと、このばね３８ａの上面に固定された押さえ板３８ｂとで構成されており、この押さえ板３８ｂの上にカード８ａが積層収納されている。従って、容易にカード収納箱３８を取り出してカード８ａの補充をすることができる。
【００３２】
ここで、カード収納手段３７は、一時保留部３６にあるカード８，８ａをカード収納箱３８に収納したり、カード収納箱３８内のカード８ａを一時保留部３６へ移動させたりするものである。
【００３３】
以上のように構成されたカード発行装置１１について、以下にその動作を説明する。図１において、入出力端子２１から金額情報に相当する遊技用度数データと新カード８ａの発行指令が入力されると以下の動作をする。
【００３４】
先ず、カード収納部１４から新カード８ａを取り出し、通路１３のリードライト部を形成するアンテナ１５に近接するように載置される。次に、制御部２０で切替部１８を制御してアンテナ１５側へ切り替える。そして、金額情報に相当する遊技用度数データを変調器２２で変調して、カード８ａに金額情報に相当する遊技用度数データを書き込む。
【００３５】
なお、この金額情報に相当する遊技用度数データの書き込みが正しく行われたか否かを確認するために、前記書き込み動作に続けて、カード８ａに書き込まれた金額情報に相当する遊技用度数データはアンテナ１５で読み出され、切替部１８を介して、復調器１９で復調されて制御部２０に送られる。
【００３６】
制御部２０では、カード８ａに正しく金額情報に相当する遊技用度数データが書き込まれたことを検査した後、入出力端子２１を介してこの書き込まれた金額情報に相当する遊技用度数データを出力する。そして、この金額情報に相当する遊技用度数データに相当する遊技を楽しむことができる。なお、金額情報に相当する遊技用度数データが正しく書き込まれなかったときは、その旨を入出力端子２１を介して外部に通知する。
【００３７】
また、既に金額情報に相当する遊技用度数データが書き込まれたカード８が挿入口１２から挿入された場合は、このカード８は通路１３を搬送されて、アンテナ１５に近接するように載置される。そして、このカード８に書き込まれた金額情報に相当する遊技用度数データはアンテナ１５で読み出され、切替部１８を介して、復調器１９で復調されて制御部２０に送られる。制御部２０では、読み出された金額情報に相当する遊技用度数データを入出力端子２１を介して外部へ出力する。このようにして、この金額情報に相当する遊技用度数データに相当する遊技を楽しむことができる。
【００３８】
次に、携帯をガイド部を形成する発光ダイオード２３に沿ってかざした場合を説明する。なお、制御部２０は、切替部１８を切り替えてポーリング制御により常時アンテナ１５にカード８（又は８ａ）があるか、アンテナ１６に携帯が近接されたかを監視している。
【００３９】
携帯がガイド部に載置されると、切替部１８はアンテナ１５をアンテナ１６側に切り替えて、以下の動作をする。即ち、携帯からの金額情報データをアンテナ１６から取り出し、この金額情報に相当する遊技用度数データを復調器１９で復調して入出力端子２１から出力する。
【００４０】
そして、カード収納部１４から新カード８ａを取り出し、通路１３のリードライト部を形成するアンテナ１５に近接するように載置する。次に、制御部２０で切替部１８をアンテナ１５側へ切り替える。そして、携帯から取り出された金額情報データを変調器２２で変調して、カード８ａに金額情報に相当する遊技用度数データを書き込む。
【００４１】
このカード８ａに書き込まれた金額情報に相当する遊技用度数データは、正しく書き込みが行われたか否かを確認するためアンテナ１５で読み出され、切替部１８を介して、復調器１９で復調されて制御部２０に送られる。制御部２０では、カード８に正しく金額情報に相当する遊技用度数データが書き込まれたことを検査する。このようにして、この金額情報に相当する遊技用度数データに相当する遊技を楽しむことができる。なお、金額情報に相当する遊技用度数データが正しく書き込まれなかったときは、その旨を入出力端子２１を介して外部に通知する。
【００４２】
なお、本実施の形態では、リードライト部として、アンテナ１５とアンテナ１６とを用いたが、これは２つのアンテナ１５，１６を用いる必要はなく、例えば一つのアンテナを用いて、この一つのアンテナを挿入口１２の近傍と通路１３の壁面との間を移動可能に設けても良い。また、一つのアンテナを挿入口１２の近傍と通路１３の壁面との間をカバーするように設けて、挿入口１２の近傍と通路１３の壁面とを選択的に遮蔽するように設けても良い。
【００４３】
以上のように、本実施の形態におけるカード発行装置１１を用いれば、入出力端子２１から入力された金額情報に相当する遊技用度数データの他に、既に書き込まれているカード８を用いて遊技をすることができる。更に、アンテナ１６を設けているので、携帯を使っても遊技をすることもできる。
【００４４】
（実施の形態２）
図６は、実施の形態２におけるカード発行装置４１の正面図である。実施の形態２は、実施の形態１における挿入部３０とアンテナ１６の形状のみが相違するものである。従って、実施の形態２においては相違点のみ説明する。
【００４５】
実施の形態２における挿入部４２は図６に示すように、幅寸法４３が３５ｍｍであり、実施の形態１における筐体２５の幅寸法２６と同じである。また、高さ寸法４４は１０５ｍｍであり、実施の形態１における筐体２５の高さ寸法２８と同様である。また、挿入口１２は実施の形態１と同様の寸法であり、挿入部４２の中央に位置している。
【００４６】
４５はアンテナであり、実施の形態１におけるアンテナ１６に該当するものである。このアンテナ４５は、挿入部４２の外周に近接して設けられている。従って、挿入口１２からアンテナ４５までの横方向の距離４６ａ、縦方向の距離４６ｂともに実施の形態１より大きくすることができる。このことにより、実施の形態１と比較して、挿入口１２を介してのアンテナ１５との距離が離れるので、互いの干渉を少なくすることができる。しかも、挿入部４２の寸法が筐体２５の前面の寸法と同じであるので、カード発行装置１１と同寸法の場所に取り付けをすることができる。
【００４７】
（実施の形態３）
図７は、実施の形態３における台間機５１のブロック図である。図７において、台間機５１は、紙幣識別装置２と、主制御装置５２と、カード発行装置１１と、これらの装置に電源を供給する電源装置５とが上方からこの順に配置されて筐体５３内に収納されている。なお、カード発行装置１１の代わりにカード発行装置４１を用いることもできる。７は、紙幣識別装置２の挿入口２ａへ挿入される紙幣であり、８はカード発行装置１１の挿入口１２へ挿入されるカードである。
【００４８】
以上のように構成された台間機５１は、パチンコ店等の遊技場に設けられており、遊技者は、パチンコ等の遊技をするに際して、紙幣７を紙幣識別装置２の挿入口２ａに挿入する。そうすると紙幣識別装置２は挿入された紙幣７を識別して、入力された紙幣７の金額情報データを主制御装置５２に通知する。主制御装置５２では、その金額情報データに相当する遊技用度数データが書き込まれたカード８を発行するようにカード発行装置１１に指令する。
【００４９】
カード発行装置１１では主制御装置５２からの指令に従って、カード収納部１４内に収納された未使用のカード８ａを通路１３に導き、この通路１３の壁面に設けられたアンテナ１５を用いてカード８ａに金額情報に相当する遊技用度数データを書き込む。このようにして、金額情報に相当する遊技用度数データが書き込まれたカード８となる。そして、書き込まれた金額情報に相当する遊技用度数データは、再びアンテナ１５で読み出され、その金額情報に相当する遊技用度数データは主制御装置５２に通知される。そこで、遊技者はその金額内で遊技を楽しむことができる訳である。
【００５０】
遊技の進行に応じて主制御装置５２からの指令により、カード発行装置１１ではカード８内の金額情報に相当する遊技用度数データを減算する。そして、カード８内の金額情報に相当する遊技用度数データが零になると遊技者は遊技を終了させられる。また、このとき改めて紙幣７を紙幣識別装置２の挿入口２ａに挿入すれば遊技を続行することができる。
【００５１】
また、遊技者が遊技を途中で終了したい場合には、ボタン等でその旨を主制御装置５２に入力する。すると、主制御装置５２はカード８の排出をカード発行装置１１に対して指令する。カード発行装置１１はその旨を受けて、カード８を挿入口１２から排出させる。
【００５２】
遊技者はこの排出されたカード８を再び挿入口１２に挿入して、再び遊技をすることができる。即ち、遊技者は紙幣７の代わりに金額情報に相当する遊技用度数データが書き込まれたカード８をカード発行装置１１の挿入口１２に挿入して遊技をすることができる。この場合、挿入されたカード８に書き込まれた金額情報に相当する遊技用度数データはアンテナ１５で読み取られ、主制御装置５２に通知される。主制御装置５２では、カード８に書き込まれた金額情報に相当する遊技用度数データの範囲内において遊技が許可されることになる。
【００５３】
次に、携帯をかざした場合を説明する。携帯がガイド部に載置されると、携帯から読み出された金額情報データに基づいて、新カード８ａが発行されることになり、紙幣７を挿入した場合と同様に遊技の実施が可能となる。
【００５４】
図８は、台間機５１の動作フローチャート６０である。図８において、先ずステップ６１で、紙幣識別装置２に紙幣７が挿入されたか否かをチェックする。紙幣７が挿入されていなければ、ステップ６２に移りカード発行装置１１にカード８が挿入されたか否かをチェックする。カード発行装置１１にカード８が挿入されていなければ、ステップ６３に移り携帯がガイド部にかざされているか否かをチェックする。
【００５５】
携帯がガイド部にかざされていなければステップ６４に移り、カード８内に格納されている金額情報に相当する遊技用度数データを減算する指令が入力されたか否かをチェックする。減算指令がある場合にはステップ６５に移り、カード８内の金額情報に相当する遊技用度数データを指定された金額のみ減算する。そして、ステップ６６に移り、この減算結果を読み出して出力し、ステップ６１の先頭に戻る。
【００５６】
ステップ６１で紙幣識別装置２に紙幣７が挿入されていれば、挿入された紙幣７の金額情報を識別して、ステップ６７に移る。ステップ６７では、カード収納部１４から新カード８ａを取り出す。そしてステップ６８に移り、取り出された新カード８ａに金額情報に相当する遊技用度数データを書き込む。
【００５７】
ステップ６２で、カード８が挿入されていれば、ステップ６６に進む。また、ステップ６３で携帯がガイド部にかざされていれば、この携帯から遊技に使う金額情報データを取り出してステップ６７に進む。また、ステップ６４において、減算指令が無い場合はステップ６１の先頭に進む。
【００５８】
このように、本実施の形態における台間機５１においては、紙幣７か或いはカード８を用いる他に携帯を用いても遊技を楽しむことができる。
【産業上の利用可能性】
【００５９】
本発明にかかるカード発行装置は、入力手段として紙幣やカードの他に携帯を用いることもできるので、遊技場等で使用される台間機等に適用することができる。
【図面の簡単な説明】
【００６０】
【図１】本発明の実施の形態１におけるカード発行装置の構成図
【図２】同、外観斜視図
【図３】同、側面図
【図４】同、平面図
【図５】同、上面透視図
【図６】同、実施の形態２におけるカード発行装置の正面図
【図７】同、実施の形態３における台間機のブロック図
【図８】同、動作フローチャート
【図９】従来の台間機のブロック図
【符号の説明】
【００６１】
８  カード
１２  挿入口
１３  通路
１５  アンテナ
１６  アンテナ
２１  入出力端子
【図１】
2007135732.tif 000003
【図２】
2007135732.tif 000004
【図３】
2007135732.tif 000005
【図４】
2007135732.tif 000006
【図５】
2007135732.tif 000007
【図６】
2007135732.tif 000008
【図７】
2007135732.tif 000009
【図８】
2007135732.tif 000010
【図９】
2007135732.tif 000011